(57)【要約】【課題】  ショートカットに対応して外部記憶媒体に記憶された情報の操作が記憶される場合においても、ショートカットアイコンに対応して装置本体内に記憶された情報の操作が記憶されている場合とほぼ等しい速度で、情報の操作ができる移動通信端末装置を提供する。【解決手段】  移動通信端末装置のショートカットメニュー処理部は、ショートカットメニューのショートカットアイコンに対応して記憶される操作が外部記憶媒体に記憶された情報の操作である場合（ステップＳ１８ｆの「外部」）、その操作対象の情報を装置内部の記憶部にコピーし（ステップＳ１８ｈ）、そのコピーされた情報の操作を示す情報を記憶する（ステップＳ１８ｇ）。【選択図】  図７
2007088942.tif 000002
【特許請求の範囲】
【請求項１】
情報を記憶する外部記憶媒体と接続可能であり、
情報を記憶する記憶手段と、
前記外部記憶媒体に記憶された情報及び前記記憶手段に記憶された情報を操作する情報操作手段と、
前記情報操作手段による情報の操作を示すショートカットを記憶するショートカット記憶手段と、
前記ショートカットを前記ショートカット記憶手段に登録する際、前記情報操作手段によって操作される情報が前記外部記憶媒体に記憶された情報である場合、その操作される情報を前記記憶手段にコピーし、その記憶手段にコピーされた情報の操作を示すショートカットを登録するショートカット登録手段と
を有することを特徴とする移動通信端末装置。
【請求項２】
メモリダイアルを記憶する外部記憶媒体と接続可能であり、
メモリダイアルを記憶する記憶手段と、
前記外部記憶媒体に記憶されたメモリダイアルの要素及び前記記憶手段に記憶されたメモリダイアルの要素に対して、その要素の表示を含む操作をする情報操作手段と、
前記情報操作手段によるメモリダイアルの要素の表示を示すショートカットを記憶するショートカット記憶手段と、
前記ショートカットを前記ショートカット記憶手段に登録する際、前記情報操作手段によって表示されるメモリダイアルの要素が前記外部記憶媒体に記憶されたメモリダイアルの要素である場合、その表示される要素を前記記憶手段にコピーし、その記憶手段にコピーされた要素の表示を示すショートカットを登録するショートカット登録手段と、
前記ショートカット記憶手段に記憶されたショートカットが示すメモリダイアルの要素の表示を実行するショートカット実行手段と
を有することを特徴とする移動通信端末装置。
【請求項３】
電話番号を含むメモリダイアルを記憶する外部記憶媒体と接続可能であり、
指定された電話番号に対して発呼する発呼手段と、
受信された着信信号に対して着呼する着呼手段と、
電話番号を含むメモリダイアルを記憶する記憶手段と、
前記外部記憶媒体に記憶されたメモリダイアルの要素及び前記記憶手段に記憶されたメモリダイアルの要素に対して、その要素の表示を含む操作をする情報操作手段と、
前記情報操作手段によるメモリダイアルの要素の表示を示すショートカットを記憶するショートカット記憶手段と、
前記ショートカットを前記ショートカット記憶手段に登録する際、前記情報操作手段によって表示されるメモリダイアルの要素が前記外部記憶媒体に記憶されたメモリダイアルの要素である場合、その表示される要素を前記記憶手段にコピーし、その記憶手段にコピーされた要素の表示を示すショートカットを登録するショートカット登録手段と、
前記ショートカット記憶手段に記憶されたショートカットが示すメモリダイアルの要素の表示を実行し、その表示されたメモリダイアルの要素に含まれる電話番号を指定して、前記発呼手段を制御して発呼させるショートカット実行手段と
を有することを特徴とする移動通信端末装置。
【発明の詳細な説明】
【技術分野】
【０００１】
本発明は、移動通信端末装置に係り、特に、入力操作を簡便化する処理に関する。
【背景技術】
【０００２】
移動通信端末装置に所望の処理を行わせるために行われる入力操作は、その装置の機能の増大に伴って複雑となり、煩わしさを感じさせることがあった。特に、移動通信端末装置を始めとする携帯型装置は小型であり、その入力装置は、数字キーと機能キーとからなることが多い。そのため、それらの装置における入力操作は、メニューに示されたメニュー項目の中の１つを選ぶことによって容易に行われるように設計されることが多いものの、所望の処理を指定するためには数段のメニューをたどることもあり、煩わしさを感じさせることが顕著であった。ここで、入力操作は、受信された電子メールの一覧表示をするための操作や、メモリダイアルの要素、即ち、１人分の情報を表示するための操作などである。
【０００３】
そこで、ショートカット処理が知られている。即ち、ショートカットのアイコンをメニュー項目とするショートカットメニューが表示装置に表示され、それらのショートカットに対応して上記メニューをたどることに対応する情報が記憶されており、たどるメニューの段数に制約はない。そして、あるショートカットのアイコンが選択されると、そのショートカットに対応して記憶された情報によって示される操作が実行される。このショートカット処理によれば、複雑な操作を行うことなく、装置に所望の処理をさせることが簡便に可能となる（例えば、特許文献１参照。）。
【特許文献１】特開２００２−１９９０８１号公報（第２頁、図１）
【発明の開示】
【発明が解決しようとする課題】
【０００４】
しかしながら、上述した特許文献１に開示されている方法では、ショートカットに対応して外部記憶媒体に記憶された情報の操作が記憶されている場合、外部記憶媒体に記憶された情報の操作に時間がかかり、ショートカット処理の簡便さが損なわれる問題点があった。
【０００５】
本発明は上記問題点を解決するためになされたもので、ショートカットに対応して外部記憶媒体に記憶された情報の操作が記憶される場合においても、ショートカットに対応して装置本体内に記憶された情報の操作が記憶されている場合とほぼ等しい速度で、情報の操作ができる移動通信端末装置を提供することを目的とする。
【課題を解決するための手段】
【０００６】
上記目的を達成するために、本発明の移動通信端末装置は、情報を記憶する外部記憶媒体と接続可能であり、情報を記憶する記憶手段と、前記外部記憶媒体に記憶された情報及び前記記憶手段に記憶された情報を操作する情報操作手段と、前記情報操作手段による情報の操作を示すショートカットを記憶するショートカット記憶手段と、前記ショートカットを前記ショートカット記憶手段に登録する際、前記情報操作手段によって操作される情報が前記外部記憶媒体に記憶された情報である場合、その操作される情報を前記記憶手段にコピーし、その記憶手段にコピーされた情報の操作を示すショートカットを登録するショートカット登録手段とを有することを特徴とすることを特徴とする。
【発明の効果】
【０００７】
本発明によれば、ショートカットアイコンに対応して外部記憶媒体に記憶された情報の操作が記憶される場合においても、ショートカットアイコンに対応して装置本体内に記憶された情報の操作が記憶されている場合とほぼ等しい速度で、情報の操作ができる移動通信端末装置を提供することができる。
【発明を実施するための最良の形態】
【０００８】
以下に、本発明による移動通信端末装置の実施の形態を、図面を参照して説明する。図１は、本発明の実施形態に係る移動通信端末装置ＭＳの構成を示すブロック図である。この移動通信端末装置ＭＳは、装置全体の制御を行う制御部１１と、基地局（図示せず）との間で電波の送受信を行うアンテナ１２ａと、通信部１２ｂと、送受信部１３と、通話用のスピーカ１４ａと、通話用のマイクロフォン１４ｂと、通話部１４ｃと、表示部１５と、入力装置１６と、メモリダイアル処理部１７と、ショートカットメニュー処理部１８と、内部メモリダイアル２１と、取り外し可能な外部記憶媒体３１との接続を行う接続部２２とからなる。
【０００９】
ショートカットメニュー処理部１８には、ショートカットデータ１８ａが記憶される。外部記憶媒体３１は、例えばＳＤメディアであり、外部記憶媒体３１には、外部記憶媒体識別子３１ａと、外部メモリダイアル３１ｂとが記憶される。
【００１０】
上記のように構成された、本発明の実施形態に係る移動通信端末装置ＭＳの各部の動作を、図１ないし図５を参照して説明する。
【００１１】
通信部１２ｂは、アンテナ１２ａが受信した高周波信号を送受信部１３へ出力し、また、送受信部１３から出力される高周波信号をアンテナ１２ａより送信する。
【００１２】
送受信部１３は、通信部１２ｂからの高周波信号を増幅、周波数変換及び復調し、それによって得られたディジタル音声信号を通話部１４ｃへ、また、着信信号を含む制御信号を制御部１１に送る。更には、通話部１４ｃから出力されるディジタル音声信号、及び制御部１１から出力される着呼信号及び発呼信号を含む制御信号を変調、周波数変換及び増幅し、高周波信号を得て、それを通信部１２ｂに送る。
【００１３】
通話部１４ｃは、送受信部１３から出力されるディジタル音声信号をアナログ音声信号に変換し、それを増幅してスピーカ１４ａに送る。また、マイクロフォン１４ｂから出力されるアナログ音声信号を増幅し、それをディジタル音声信号に変換して送受信部１３に送信する。
【００１４】
表示部１５は、制御部１１に制御されることで、カーソルを含む文字・数字や画像データの表示動作を行い、表示されているデータは、入力装置１６からの入力操作や着信信号に応答して制御部１１からの指示を受けることで切換わる。
【００１５】
入力装置１６は、通信相手の電話番号などを指定し、また、トグル式の入力方式によってひらがな文字、アルファベット文字及び記号文字を入力するための数字キーと、カーソル移動キーやスクロールキーを含む複数の機能キーとを含むキーからなる。そして、入力装置１６のキーが押下されると、そのキーの識別子が制御部１１に通知され、制御部１１によって、表示部１５に文字として表示され、または、着呼処理及び発呼処理を含む制御が行われる。
【００１６】
図２は、ショートカットデータ１８ａの構成の一例を示す。ショートカットデータ１８ａは、ショートカット１８ｂと、メモリダイアル識別子１８ｃと、漢字氏名１８ｄとが対応づけられた、４組の情報からなる。４組の情報のショートカット１８ｂは、それぞれ「第１のショートカット」、「第２のショートカット」、「第３のショートカット」及び「第４のショートカット」の中のいずれかの情報である。
【００１７】
図３は、内部メモリダイアル２１の構成の一例を示す。内部メモリダイアル２１は、メモリダイアル識別子２１ａと、漢字氏名２１ｂと、かな氏名２１ｃと、電話番号２１ｄと、使用頻度２１ｅと、外部記憶媒体識別子２１ｆとが対応づけられた組の情報からなる。
【００１８】
図４は、外部記憶媒体識別子３１ａの一例を示す。外部記憶媒体識別子３１ａは、外部記憶媒体３１を識別する情報である。図５は、外部メモリダイアル３１ｂの構成の一例を示す。外部メモリダイアル３１ｂは、メモリダイアル識別子３１ｃと、漢字氏名３１ｄと、かな氏名３１ｅと、電話番号３１ｆと、使用頻度３１ｇとが対応づけられた組の情報からなる。
【００１９】
メモリダイアル処理部１７は、内部メモリダイアル２１及び外部メモリダイアル３１ｂに記憶される情報を操作し、入力装置１６の所定のキーが操作されると（メモリダイアル処理部１７の動作に関して、以後、装置の他の処理部からの指示を受信することを含む。）制御部１１によって起動される。
【００２０】
そして、メモリダイアル処理部１７は、入力装置１６の所定のキーが操作されると、内部メモリダイアル２１、または、外部メモリダイアル３１ｂのいずれか一方を処理の対象として選択する。以後、選択された内部メモリダイアル２１、または、外部メモリダイアル３１ｂをメモリダイアルと称する。
【００２１】
メモリダイアル処理部１７は、続いて、入力装置１６の所定のキーが操作されると、メモリダイアルに記憶され、対応づけられた情報を検索して表示部１５に表示し、その表示された情報に対して、情報を修正し、または、情報を削除する。そして、検索された情報の使用頻度２１ｅに記憶された数値に１を加えて、更新格納する。なお、情報の修正にあたり、外部記憶媒体識別子２１ｆに記憶された情報は修正の対象としない。
【００２２】
ここで、メモリダイアル処理部１７は、内部メモリダイアル２１に記憶され、かつ、外部記憶媒体識別子２１ｆに情報が記憶されている情報であって、その外部記憶媒体識別子２１ｆと、取り付けられている外部記憶媒体３１の外部記憶媒体識別子３１ａとが等しくない場合（外部記憶媒体３１が取り付けられていない場合を含む。）、その情報を、検索、表示、修正及び削除の全ての処理の対象としない。後述するように、その情報が由来する情報を記憶した外部記憶媒体３１は取り付けられておらず、その外部記憶媒体３１に記憶された情報の保護のためである。
【００２３】
また、メモリダイアル処理部１７は、入力装置１６の所定のキーが操作されると、新たな対応づけられた情報をメモリダイアルに追加記憶する。この追加記憶の際、メモリダイアル処理部１７は、メモリダイアル識別子２１ａまたはメモリダイアル識別子３１ｃには所定の識別子を付して記憶する。
【００２４】
ここで、例えば、メモリダイアル識別子２１ａは、１から１００までの自然数、メモリダイアル識別子３１ｃは、１０１以上の自然数であるが、これに限るものではない。また、新たな情報を追加記憶する際、使用頻度２１ｅまたは使用頻度３１ｇには数値「０」を設定して記憶する。また、後述するように、ショートカットメニュー処理部１８からの指示に基づいて新たな情報を追加記憶する場合、外部記憶媒体識別子２１ｆに情報を設定する。
【００２５】
更に、メモリダイアル処理部１７は、入力装置１６の所定のキーが操作されると、検索された情報の電話番号２１ｄまたは電話番号３１ｆを制御部１１に送信して、その番号に発呼させる。
【００２６】
ショートカットメニュー処理部１８は、ショートカット１８ｂに対応して操作を記憶し、それらのショートカットのアイコンをメニュー項目とするショートカットメニューを表示部１５に表示して、選択されたショートカットに対応して記憶された操作を行う。ショートカット１８ｂに対応する操作を示す情報は、ショートカットデータ１８ａに記憶される。そのため、ショートカットメニュー処理部１８は、ショートカットデータ１８ａに記憶される情報を管理する。
【００２７】
図６は、ショートカットメニュー処理部１８によって表示部１５に表示されるショートカットメニューの一例を示す。このショートカットメニュー１５ａは、図２に示すショートカットデータ１８ａに記憶された情報に基づいて表示されたものであり、第１のショートカットアイコン１５ｂ１と、第２のショートカットアイコン１５ｂ２と、第３のショートカットアイコン１５ｂ３と、第４のショートカットアイコン１５ｂ４とが並べられて表示されている。
【００２８】
第１のショートカットアイコン１５ｂ１には、人の横顔の画像と、文字「ＡＡＡ」とを含むアイコン図形が表示されている。人の横顔の画像は、ショートカットデータ１８ａに記憶されたショートカット１８ｂが「第１のショートカット」である情報の組のメモリダイアル識別子１８ｃに情報が記憶されていることを示し、更に、文字「ＡＡＡ」は、その組の漢字氏名１８ｄに「ＡＡＡ」なる情報が記憶されていることを示す。即ち、第１のショートカットアイコン１５ｂ１に対応して、内部メモリダイアル２１に記憶され、上記情報の組のメモリダイアル識別子１８ｃで識別される情報の組の表示操作が記憶されていることを示す。
【００２９】
第２のショートカットアイコン１５ｂ２と、第４のショートカットアイコン１５ｂ４とには、アイコン図形が表示されていないことによって、ショートカットデータ１８ａに記憶されたショートカット１８ｂが「第２のショートカット」である情報の組、及び、ショートカット１８ｂが「第４のショートカット」である情報の組のメモリダイアル識別子１８ｃに値が記憶されていないことを示し、即ち、第２のショートカットアイコン１５ｂ２と、第４のショートカットアイコン１５ｂ４とに対応して、操作を示す情報が記憶されていないことを示す。
【００３０】
第３のショートカットアイコン１５ｂ３には、人の横顔の画像と、文字「ＸＸＸ」とを含むアイコン図形が表示されている。このアイコン図形により、ショートカットデータ１８ａに記憶されたショートカット１８ｂが「第３のショートカット」である情報の組のメモリダイアル識別子１８ｃに値が記憶されており、更に、文字「ＸＸＸ」は、その組の漢字氏名１８ｄに「ＸＸＸ」なる情報が記憶されていることを示す。即ち、第３のショートカットアイコン１５ｂ３に対応して、内部メモリダイアル２１に記憶され、上記情報の組のメモリダイアル識別子１８ｃで識別される情報の組の表示操作が記憶されていることを示す。
【００３１】
ここで、上記表示された第１〜第４のショートカットアイコン１５ｂ１〜１５ｂ４の中から１つのショートカットアイコンが選択され、選択されたショートカットアイコンは、選択されていないショートカットアイコンと識別可能に表示される。例えば、枠を太く表示される、色を変化させて表示されるなどによるが、これに限るものではない。
【００３２】
接続部２２は、取り外し可能な外部記憶媒体３１と接続し、信号の送受を行う。即ち、制御部１１に制御されて、外部記憶媒体２３に記憶された情報を読み出し、また、外部記憶媒体２３に情報を書き込む。また、制御部１１の要求に応じて外部記憶媒体２３が取り付けられているか否かを検出して、検出結果を通知する。
【００３３】
以下、本実施形態に係る移動通信端末装置ＭＳのショートカットメニューに関する動作を説明する。
【００３４】
図７は、ショートカットメニュー処理部１８の動作のフローチャートを示す。ショートカットメニュー処理部１８は、入力装置１６の所定のキーが操作されると制御部１１によって起動されて動作を開始し（ステップＳ１８ａ）、前述した第１〜第４のショートカットアイコン１５ｂ１〜１５ｂ４からなるショートカットメニュー１５ａを表示部１５に表示する（ステップＳ１８ｂ）。
【００３５】
続いて、ショートカットメニュー処理部１８は、入力装置１６の所定のカーソル移動キーが操作されると、上記表示された第１〜第４のショートカットアイコン１５ｂ１〜１５ｂ４の中から１つのショートカットアイコンを選択する（ステップＳ１８ｃ）。
【００３６】
次に、ショートカットメニュー処理部１８は、入力装置１６の所定のキーが操作されると、上記選択されたショートカットアイコンに対応するショートカット１８ｂと組をなした操作の登録が指示されたか、そのショートカット１８ｂと組をなして既に登録されている操作が指示されたかを判断する（ステップＳ１８ｄ）。ショートカット１８ｂに操作の登録が指示されたと判断された場合（ステップＳ１８ｄの「登録」）、ショートカットメニュー処理部１８は、メモリダイアル処理部１７を起動して動作させ、続いて入力装置１６の所定のキーが操作されることにより、メモリダイアルに記憶された１組の情報を選択させる（ステップＳ１８ｅ）。
【００３７】
そして、メモリダイアルに記憶された１組の情報が選択されると、ショートカットメニュー処理部１８は、この選択された１組の情報が内部メモリダイアル２１に記憶されたものか、外部メモリダイアル３１ｂに記憶されたものかを判断する（ステップＳ１８ｆ）。この判断は、例えば、メモリダイアル処理部１７に対して操作された入力装置１６のキーの履歴による。または、選択された１組の情報のメモリダイアル識別子２１ａまたはメモリダイアル識別子３１ｃに記憶された情報による。
【００３８】
上記選択された１組の情報が内部メモリダイアル２１に記憶されたものである場合（ステップＳ１８ｆの「内部」）、ショートカットメニュー処理部１８は、ステップＳ１８ｃで選択されたショートカットアイコンを第ｉのショートカットアイコン１５ｂｉ（１≦ｉ≦４）とし、ショートカット１８ｂが「第ｉのショートカット」に等しい情報の組をショートカットデータ１８ａから検索する。
【００３９】
そして、ショートカットメニュー処理部１８は、その検索された組のメモリダイアル識別子１８ｃにステップＳ１８ｅで行われた選択によって得られた内部メモリダイアル２１に記憶された１組の情報のメモリダイアル識別子２１ａを、その組の漢字氏名１８ｄに上記内部メモリダイアル２１の漢字氏名２１ｂを設定し、その設定された情報の組をショートカットデータ１８ａに更新記憶する（ステップＳ１８ｇ）。
【００４０】
次に、ショートカットメニュー処理部１８は、ステップＳ１８ｂのショートカットメニュー１５ａの表示以降の動作に移る。ここで、表示されるショートカットメニュー１５ａは、ステップＳ１８ｇで更新記憶されたものを反映したものである。
【００４１】
一方、ステップＳ１８ｆで、選択によって得られた情報が外部メモリダイアル３１ｂに記憶されたものである場合（ステップＳ１８ｆの「外部」）、ショートカットメニュー処理部１８は、メモリダイアル処理部１７を制御して、ステップＳ１８ｅでの選択によって得られた外部メモリダイアル３１ｂに記憶された１組の情報を内部メモリダイアル２１にコピーして格納させる（ステップＳ１８ｈ）。
【００４２】
即ち、その１組の情報の漢字氏名３１ｄを漢字氏名２１ｂに、かな氏名３１ｅをかな氏名２１ｃに、電話番号３１ｆを電話番号２１ｄにコピーし、更に、メモリダイアル識別子２１ａに所定の識別子を、使用頻度２１ｅに「０」を、そして、外部記憶媒体識別子２１ｆに外部記憶媒体識別子３１ａを設定した１組の情報を内部メモリダイアル２１に格納させる。
【００４３】
この格納の際、ショートカットメニュー処理部１８は、メモリダイアル処理部１７を制御して、内部メモリダイアル２１に記憶された情報の組の中で、外部記憶媒体識別子２１ｆに情報が記憶されている組の数を数えさせ、その数が所定の最大値を超える場合、外部記憶媒体識別子２１ｆに情報が記憶されている組の中で使用頻度２１ｅが最低の値である組を削除の上で格納させる。
【００４４】
そして、ショートカットメニュー処理部１８は、ステップＳ１８ｈで内部メモリダイアル２１に記憶された情報のメモリダイアル識別子２１ａと、漢字氏名２１ｂとを、それぞれショートカットデータ１８ａのメモリダイアル識別子１８ｃと、漢字氏名１８ｄとに更新記憶するステップＳ１８ｇの動作以降を行う。
【００４５】
図２に示すショートカットデータ１８ａに記憶された情報の内、ショートカット１８ｂが「第１のショートカット」である情報の組は、図３に示す内部メモリダイアル２１に記憶された情報の組であって、メモリダイアル識別子２１ａが「１」である組に基づいてステップＳ１８ｇで記憶されたものの一例を示す。
【００４６】
一方、ショートカット１８ｂが「第３のショートカット」である情報の組は、図３に示す内部メモリダイアル２１に記憶された情報の組であって、メモリダイアル識別子３１ｃが「９１」である組に基づいてステップＳ１８ｇで記憶されたものの一例を示し、そのメモリダイアル識別子３１ｃが「９１」である組は、図５に示す外部メモリダイアル３１ｂに記憶された情報の組であって、メモリダイアル識別子３１ｃが「１０１」である組に基づいてステップＳ１８ｈでコピーされたものである。
【００４７】
ステップＳ１８ｃにおいて、ショートカット１８ｂと組をなして既に登録されている操作が指示されたと判断された場合（ステップＳ１８ｄの「実行」）、ショートカットメニュー処理部１８は、ステップＳ１８ｃで選択されたショートカットアイコンに対応して、外部メモリダイアル３１ｂに記憶されておらず内部メモリダイアル２１に記憶された情報の表示操作が記憶されているか、外部メモリダイアル３１ｂに記憶された情報がステップＳ１８ｈの動作によって内部メモリダイアル２１にコピーされて記憶された情報の表示操作が記憶されているかを判断する（ステップＳ１８ｉ）。
【００４８】
即ち、ショートカットメニュー処理部１８は、ステップＳ１８ｃで選択されたショートカットアイコンを第ｉのショートカットアイコン１５ｂｉ（１≦ｉ≦４）とし、ショートカット１８ｂが「第ｉのショートカット」に等しい情報の組をショートカットデータ１８ａから検索し、検索された情報の組のメモリダイアル識別子１８ｃを得る。そして、メモリダイアル処理部１７を制御して、メモリダイアル識別子２１ａがその得られたメモリダイアル識別子１８ｃに等しい情報の組を内部メモリダイアル２１から検索させ、その情報の組の外部記憶媒体識別子２１ｆを得る。
【００４９】
この得られた外部記憶媒体識別子２１ｆに情報が記憶されていない場合、ショートカットメニュー処理部１８は、上記ショートカット１８ｂに対応して、外部メモリダイアル３１ｂに記憶されておらず内部メモリダイアル２１に記憶された情報の表示操作が記憶されていると判断する。一方、この得られた外部記憶媒体識別子２１ｆに情報が記憶されている場合、外部メモリダイアル３１ｂに記憶された情報がステップＳ１８ｈの動作によって内部メモリダイアル２１にコピーされた情報の表示操作が記憶されていると判断する。
【００５０】
上記ショートカット１８ｂに対応して、外部メモリダイアル３１ｂに記憶されておらず内部メモリダイアル２１に記憶された情報の表示操作が記憶されていると判断された場合（ステップＳ１８ｉの「内部」）、ショートカットメニュー処理部１８は、メモリダイアル処理部１７を制御して、上記得られたメモリダイアル識別子１８ｃが上記メモリダイアル識別子２１ａに等しい情報の組を内部メモリダイアル２１から検索させ、表示部１５に表示させ、更に、入力装置１６の所定のキーが操作されるとそのキーに従って動作する状態にさせて（ステップＳ１８ｊ）、動作を終了する（ステップＳ１８ｋ）。
【００５１】
一方、ステップＳ１８ｉで、上記ショートカット１８ｂに対応して、外部メモリダイアル３１ｂに記憶された情報がステップＳ１８ｈの動作によって内部メモリダイアル２１にコピーされて記憶された情報の表示操作が記憶されていると判断された場合（ステップＳ１８ｉの「外部」）、ショートカットメニュー処理部１８は、ステップＳ１８ｉで得られた外部記憶媒体識別子２１ｆと、取り付けられている外部記憶媒体３１の外部記憶媒体識別子３１ａとが等しいか否かを判断する（ステップＳ１８ｍ）。
【００５２】
上記識別子が等しい場合、ショートカットメニュー処理部１８は、ステップＳ１８ｊのメモリダイアル処理部１７を制御して実行させる動作以降の動作を行う。一方、上記識別子が等しくない場合（外部記憶媒体３１が取り付けられていない場合を含む。）、上記ショートカット１８ｂに対応して記憶されている表示操作の対象となる情報が由来する情報を記憶した外部記憶媒体３１は取り付けられておらず、その外部記憶媒体３１に記憶された情報保護のため、上記表示操作は行わない旨のエラーメッセージを表示部１５に表示して及び／またはスピーカ１４ａから所定の音声を発生させてエラーの発生を報知して（ステップＳ１８ｎ）、ステップＳ１８ｂのショートカットメニュー１５ａを表示部１５に表示する動作に移る。
【００５３】
更に、ステップＳ１８ｃで選択されたショートカットアイコンに対して、ステップＳ１８ｄでショートカット１８ｂと組をなして既に登録されている操作を示す情報を削除すると判断された場合（図示せず）、ショートカットメニュー処理部１８は、ステップＳ１８ｃで選択されたショートカットアイコンを第ｉのショートカットアイコン１５ｂｉ（１≦ｉ≦４）とし、ショートカット１８ｂが「第ｉのショートカット」に等しい情報の組をショートカットデータ１８ａから検索し、検索された情報の組のメモリダイアル識別子１８ｃの情報を消去し、漢字氏名１８ｄの情報を消去して、更新格納し、ステップＳ１８ｂのショートカットメニュー１５ａの表示以降の動作に移る。
【００５４】
なお、ショートカットメニュー処理部１８は、ステップＳ１８ｋで動作を終了するが、その他の任意の動作ステップ中に、入力装置１６の所定のキーが操作されると動作を終了する。
【００５５】
以上の説明では、内部メモリダイアル２１は使用頻度２１ｅを含み、ショートカットメニュー処理部１８は、ステップＳ１８ｈで内部メモリダイアル２１に新たな情報を追加記憶させる際、内部メモリダイアル２１の中で、外部メモリダイアル３１ｂに記憶された情報に由来する情報の組の数を所定の最大値以下にするため、使用頻度２１ｅが最低の組を削除するとしたが、これに限るものではない。例えば、内部メモリダイアル２１の情報の組に最新表示日時を含め、最新表示日時が最古の組を削除しても良い。また、使用頻度２１ｅと、その情報の組が新規に記憶された日時とを含め、単位時間あたりの表示回数が最低の組を削除しても良い。
【００５６】
以上の説明では、ショートカットメニュー処理部１８は、ステップＳ１８ｍで外部記憶媒体３１に記憶された外部記憶媒体識別子３１ａを読み込んで比較するとしたが、これに限るものではない。例えば、外部記憶媒体３１が取り付けられた際、制御部１１は、その外部記憶媒体３１に記憶された外部記憶媒体識別子３１ａを読み込んで、制御部１１内にその外部記憶媒体識別子３１ａの写しを記憶する。そして、外部記憶媒体３１が取り外された際、上記写しを消去するとしても良い。
【００５７】
この方式によれば、ショートカットメニュー処理部１８は、外部記憶媒体３１に記憶された外部記憶媒体識別子３１ａを読み込むより短い処理時間で制御部１１内に記憶された上記写しを参照することが可能であり、動作時間が短縮される。
【００５８】
以上の説明では、ショートカットデータ１８ａには４組の情報が記憶され、それに基づいて、ショートカットメニュー処理部１８は、第１〜第４のショートカットアイコン１５ｂ１〜１５ｂ４の４つのショートカットアイコンからなるショートカットメニュー１５ａを表示部１５に表示するとしたが、これに限るものではない。ショートカットデータ１８ａには９組の情報が記憶され、ショートカットメニュー処理部１８は、９つのショートカットアイコンからなるショートカットメニュー１５ａを表示するとしても良い。
【００５９】
更に、ショートカットデータ１８ａには任意個の情報が記憶されるとしても良い。表示部１５の画面の大きさが小さいため、上記任意個のショートカットアイコンが同時に表示されない場合、スクロール処理によって、任意個のショートカットアイコンの中から所定個のショートカットアイコンを選択的に表示しても良い。
【００６０】
以上の説明では、ショートカットデータ１８ａに記憶される情報によって示される操作は、内部メモリダイアル２１の操作であるとしたが、これに限るものではない。例えば、装置内部の記憶部（図示せず）はファイルを記憶し、更に、外部記憶媒体３１はファイルを記憶し、ショートカットデータ１８ａは、それらのファイルの操作を示す情報を記憶するとしても良い。
【００６１】
即ち、外部記憶媒体３１に記憶されたファイルの操作を示す情報を登録する場合、ショートカットメニュー処理部１８は、そのファイルと、外部記憶媒体識別子３１ａとを装置内部の記憶部にコピーする。そして、その記憶部にコピーされたファイルを操作する場合、ステップＳ１８ｍで説明したように、コピーされた外部記憶媒体識別子３１ａと、取り付けられている外部記憶媒体３１の外部記憶媒体識別子３１ａとの比較によって動作を分岐する。
【００６２】
以上の説明では、ショートカットメニュー処理部１８は、ステップＳ１８ｉで、第１〜第４のショートカットアイコン１５ｂ１〜１５ｂ４に対応して記憶された情報によって示される、操作される内部メモリダイアル２１に記憶された情報の組が外部メモリダイアル３１ｂに由来するものであるか否かを判断する際、メモリダイアル処理部１７を制御して、内部メモリダイアル２１の外部記憶媒体識別子２１ｆを参照するとしたが、これに限るものではない。
【００６３】
例えば、第１〜第４のショートカットアイコン１５ｂ１〜１５ｂ４に対応して記憶された情報によって示される、操作される内部メモリダイアル２１に記憶された情報の組が外部メモリダイアル３１ｂに由来する場合、ショートカットメニュー処理部１８は、その外部メモリダイアル３１ｂが記憶された外部記憶媒体３１に記憶された外部記憶媒体識別子３１ａをショートカットデータ１８ａに記憶するとしても良い。
【００６４】
この処理によれば、ステップＳ１８ｍの内部メモリダイアル２１の外部記憶媒体識別子２１ｆと、取り付けられている外部記憶媒体３１の外部記憶媒体識別子３１ａとを比較して、それらの識別子が異なると判断する処理の際、内部メモリダイアル２１を参照することが不要になり、処理速度の向上が可能となる。
【００６５】
以上の説明では、内部メモリダイアル２１は電話番号２１ｄを記憶し、外部メモリダイアル３１ｂは電話番号３１ｆを記憶するとしたが、これに限るものではない。例えば、更に、電子メールアドレスを記憶するとしても良い。そして、移動通信端末装置ＭＳは電子メール送受信部（図示せず）を有し、メモリダイアル処理部１７は、電子メール送受信部を制御して、検索された電子メールアドレスに対する電子メールの送信をさせても良い。
【００６６】
更に、以上の説明は、本発明を移動通信端末装置ＭＳに適用した形態を例にとって行ったがこれに限るものではない。本発明は、装置内部の記憶部を備え、かつ、外部記憶媒体と接続可能であって、外部記憶媒体に記憶された情報の操作を示す情報を記憶し、記憶された情報によって示される操作を実行するあらゆる装置に適用することが当然に可能である。本発明は以上の構成に限定されるものではなく、種々の変形が可能である。
【図面の簡単な説明】
【００６７】
【図１】本発明の実施形態に係る移動通信端末装置の構成を示すブロック図。
【図２】本発明の実施形態に係るショートカットデータの構成の一例を示す図。
【図３】本発明の実施形態に係る内部メモリダイアルの構成の一例を示す図。
【図４】本発明の実施形態に係る外部記憶媒体識別子の一例を示す図。
【図５】本発明の実施形態に係る外部メモリダイアルの構成の一例を示す図。
【図６】本発明の実施形態に係るショートカットメニューが表示部に表示された一例を示す図。
【図７】本発明の実施形態に係るショートカットメニュー処理部の動作を示すフローチャート。
【符号の説明】
【００６８】
ＭＳ  移動通信端末装置
１１  制御部
１５  表示部
１５ａ  ショートカットメニュー
１５ｂ１  第１のショートカットアイコン
１５ｂ２  第２のショートカットアイコン
１５ｂ３  第３のショートカットアイコン
１５ｂ４  第４のショートカットアイコン
１６  入力装置
１７  メモリダイアル処理部
１８  ショートカットメニュー処理部
１８ａ  ショートカットデータ
１８ｂ  ショートカット
１８ｃ、２１ａ、３１ｃ  メモリダイアル識別子
１８ｄ、２１ｂ、３１ｄ  漢字氏名
２１  内部メモリダイアル
２１ｃ、３１ｅ  かな氏名
２１ｄ、３１ｆ  電話番号
２１ｅ、３１ｇ  使用頻度
２１ｆ、３１ａ  外部記憶媒体識別子
３１  外部記憶媒体
３１ｂ  外部メモリダイアル
【図１】
2007088942.tif 000003
【図２】
2007088942.tif 000004
【図３】
2007088942.tif 000005
【図４】
2007088942.tif 000006
【図５】
2007088942.tif 000007
【図６】
2007088942.tif 000008
【図７】
2007088942.tif 000009